(57)【要約】      （修正有）【課題】ローラーと顔面との間にできるだけ隙間を作らないようにし、顔面に接触する部分が多い、美顔用マッサージ器を提供すること。【解決手段】ローラー部と、把手部と、ローラー部と把手部とを連結する連結軸部とよりなる美顔用マッサージ器であって、ローラー部はチタニウム製又は純プラチナ、又は純金メッキを施した円筒形ローラーでローラーの先端を閉塞し、ローラーの円周を４等分した外周面の軸線方向に円弧溝を刻設してローラーの外周面に４個の凸面８を形成し、凸面に小穴を凹設し、前記小穴に表面を研磨したゲルマニウム粒子６を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端を金属で閉塞し、ローラー表面を純プラチナ、純金、純チタニウムなどでメッキした美顔用マッサージ器とした。【選択図】図１
2010178961.tif 000002
【特許請求の範囲】
【請求項１】
ローラー部と、把手部と、ローラー部と把手部とを連結する連結軸部とよりなる美顔用マッサージ器であって、ローラー部はチタニウム製又は表面を純プラチナ、又は純金メッキを施した円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端をチタニウム、アルミ、真鍮などの金属で閉塞し、ローラー表面を純プラチナ、純金、純チタニウムなどの高価金属でメッキした美顔用マッサージ器。
【請求項２】
連結軸部の連結軸は把手部の把手先端から突出させ、連結軸の先端部にベアリングを圧入し、連結軸の基端にはＬ型ベアリングを回転自在に嵌着し、円周溝に座金を嵌めてＬ型ベアリングを連結軸に固着し、前記連結軸部をローラーの中空部に、ベアリングを回転自在で、Ｌ型ベアリングを圧入して挿入するようにした請求項１記載の美顔用マッサージ器。
【発明の詳細な説明】
【技術分野】
【０００１】
本発明は、ゲルマニウムの半導体を、肌アレルギーを起こし難いチタニウム製又は表面を純プラチナ、又は純金メッキを施したローラーに突設し、このローラーを顔面に接触させ回転させて美顔にする美顔用マッサージ器に関するものである。
【背景技術】
【０００２】
従来より、把手部の先端に回転自在に設けたローラー部を有するローラータイプの美顔用マッサージ器は存在する。この美顔用マッサージ器ではローラーと顔面との間にできるだけ隙間を作らないようにし、顔面に接触する部分をできるだけ多くすることが美顔効果上必要である。
【先行技術文献】
【特許文献】
【０００３】
【特許文献１】特開２００８−１１９１８１号公報
【発明の概要】
【発明が解決しようとする課題】
【０００４】
この種の美顔用マッサージ器では、ローラーと顔面との間にできるだけ隙間を作らないようにし、顔面に接触する部分を出来るだけ多くすることが、美顔効果を上げるためには必要である。
【０００５】
また、従来のローラーは六角形でガタガタと回転し、強いタッピングであった。
【０００６】
さらに、従来の美顔用マッサージ器では眼尻のマッサージはできなかった。
【課題を解決するための手段】
【０００７】
本発明は、上記の事情に鑑み、ローラーと顔面との間にできるだけ隙間を作らず、顔面に接触する部分がより多くなるようにして肌に優しいタッピング効果となるようにし、眼尻のマッサージも可能とすべく、ローラー部と、把手部と、ローラー部と把手部とを連結する連結軸部とよりなる美顔用マッサージ器であって、ローラー部はチタニウム製又は表面を純プラチナ、又は純金メッキを施した円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端をチタニウム、アルミ、真鍮などの金属で閉塞し、ローラー表面を純プラチナ、純金、純チタニウムなどの高価金属でメッキした美顔用マッサージ器とした。
【０００８】
また、本発明は、ローラーと顔面との間にできるだけ隙間を作らず、顔面に接触する部分をより多くすることができるようにして肌に優しいタッピング効果となるようにし、眼尻のマッサージも可能となるようにすべく、また、ローラー部と連結軸部の構成は至極単純であっても連結するという目的が達成できるようにすべく、連結軸部の連結軸は把手部の把手先端から突出させ、連結軸の先端部にベアリングを圧入し、連結軸の基端にはＬ型ベアリングを回転自在に嵌着し、円周溝に座金を嵌めてＬ型ベアリングを連結軸に固着し、前記連結軸部をローラーの中空部に、ベアリングを回転自在で、Ｌ型ベアリングを圧入して挿入するようにした美顔用マッサージ器とした。
【発明の効果】
【０００９】
本発明は、ローラー部と、把手部と、ローラー部と把手部とを連結する連結軸部とよりなる美顔用マッサージ器であって、ローラー部はチタニウム製又は表面を純プラチナ、又は純金メッキを施した円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端をチタニウム、アルミ、真鍮などの金属で閉塞し、ローラー表面を純プラチナ、純金、純チタニウムなどの高価金属でメッキした美顔用マッサージ器であるので、ローラーと顔面との間にできるだけ隙間を作らず、顔面に接触する部分が多くなり、より美顔効果が望めるものである。
【００１０】
本発明のローラーは、凸面と凹面から形成した８面体であるので、肌に優しいタッピング効果が得られる。
【００１１】
また、本発明のローラーは、肌に接触する部分を純プラチナ、純金、純チタニウム等の高価な金属でメッキしているので、アレルギー肌にも優しく、肌の安全性を計っている。
【００１２】
さらに、本発明のローラー先端にはゲルマニウム粒子を突設したので、眼尻など細い部分のゲルマニウム粒子でのマッサージを可能とした。
【００１３】
さらにその上に、本発明のローラーの凸面に３個のゲルマニウム粒子を突設したので、
相隣る凸面には軸線方向で同位置にならないようずらして２個のゲルマニウム粒子を突設し、ローラーを回転させた際、高価なゲルマニウム粒子の少ない数で肌に隙間なく接触させ経済的な美顔用マッサージ器を提供できるようにした。
【００１４】
また、本発明は、連結軸部の連結軸は把手部の把手先端から突出させ、連結軸の先端部にベアリングを圧入し、連結軸の基端にはＬ型ベアリングを回転自在に嵌着し、円周溝に座金を嵌めてＬ型ベアリングを連結軸に固着し、前記連結軸部をローラーの中空部に、ベアリングを回転自在で、Ｌ型ベアリングを圧入して挿入するようにした美顔用マッサージ器であるので、ローラーと顔面との間にできるだけ隙間を作らず、顔面に接触する部分が多くなり、より美顔効果が望めるものであり、また、ローラー部と連結軸部の構成は至極単純であっても、連結するという目的が達成できる。
【００１５】
また、本発明のローラーは、肌に接触する部分を純プラチナ、純金、純チタニウム等の高価な金属でメッキしているので、アレルギー肌にも優しく、肌の安全性を計っている。
【００１６】
さらに、本発明のローラー先端にはゲルマニウム粒子を突設したので、眼尻など細い部分のゲルマニウム粒子でのマッサージを可能とした。
【００１７】
さらにその上に、本発明のローラーの凸面に３個のゲルマニウム粒子を突設したので、
相隣る凸面には軸線方向で同位置にならないようずらして２個のゲルマニウム粒子を突設し、ローラーを回転させた際、高価なゲルマニウム粒子の少ない数で肌に隙間なく接触させ経済的な美顔用マッサージ器を提供できるようにした。
【図面の簡単な説明】
【００１８】
【図１】本発明の一実施例の正面図である。
【図２】図１の左側面図である。
【図３】図１の右側面図である。
【図４】図１の平面図である。
【図５】図１の底面図である。
【図６】図１の軸線方向の断面図である。
【発明を実施するための形態】
【００１９】
本発明を添付する図面に示す具体的一実施例に基づいて以下詳細に説明する。
【００２０】
図１は本発明の一実施例の正面図、図２は図１の左側面図、図３は図１の右側面図、図４は図１の平面図、図５は図１の底面図、図６は図１の軸線方向の断面図である。
【００２１】
本発明は、ローラー部と、把手部と、ローラー部と把手部とを連結する連結軸部とよりなる美顔用マッサージ器であって、ローラー部はチタニウム製円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端をチタニウム、アルミ、真鍮などの金属で閉塞し、ローラー表面を純プラチナ、純金、純チタニウムなどの高価金属でメッキした美顔用マッサージ器である。
【００２２】
本発明の美顔用マッサージ器は、ローラー部１と、把手部２と、ローラー部１と把手部２とを連結する連結軸部３とよりなる。
【００２３】
美顔用マッサージ器では、ローラーと顔面との間にできるだけ隙間を作らず、顔面に接触する部分を出来るだけ多くすることが美顔効果上必要である。
【００２４】
ローラー部１のローラー４の外径は１９ｍｍ、長さ５３ｍｍで、把手部２の把手５は把持しやすいように先端部を先細り状にした円筒体で外径１７ｍｍで、この美顔用マッサージ器の全長は１５１.５ｍｍで、総重量は１０５ｇである。
【００２５】
ローラー４は、肌アレルギーを起こし難いチタニウム製又は表面を純プラチナ、又は純金メッキを施し、生体細胞への刺激と充放電の電位調整による活性効果を有する半導体のゲルマニウム粒子６を突設する。
【００２６】
ローラー４は円筒形で先端を、チタニウム、アルミ、真鍮などの金属で閉塞し、ローラー表面を人体の皮膚に金属アレルギー対策に配慮して純プラチナ、純金、純チタニウムなどの高価な金属でメッキし、ローラー表面をツルツルピカピカに光沢を帯びさせる。
【００２７】
把手５の中空部１０には把手５の先端中央から突出させた連結軸部３の連結軸１１を突出させ、連結軸１１の先端部にベアリング１２を圧入し、連結軸１１の基端にはＬ型ベアリング１３を回転自在に嵌着し、円周溝１４に座金１５を嵌めてＬ型ベアリング１３を連結軸１１に固着し、この連結軸部３をローラー４の中空部１０に、ベアリング１２を回転自在で、Ｌ型ベアリング１３を圧入して挿入する。ローラー部１と連結軸部３の構成は至極単純であるが、連結するという目的が達成できる。
【００２８】
ローラー４は顔面との間に隙間が作らずに、顔面に接触する部分をより多くすることが強く求められるので、ローラー４の円周を４等分した外周面の軸線方向に円弧溝７を刻設する。ローラー４の外周面に４個の凸面８を形成し、凸面８に小穴９を凹設し、前記小穴９に表面を研磨したゲルマニウム粒子６を突設し、ローラー４の先端面にも表面を研磨したゲルマニウム粒子１０を突設する。
【００２９】
ローラー４外周面のゲルマニウム粒子６と相隣る凸面８のゲルマニウム粒子６とを軸線方向で同位置にならないようにずらして配置する。図１の正面図の円弧溝７にはゲルマニウム粒子６が３個設けられ、背面図（図示されてない）にも円弧溝７の同位置にゲルマニウム粒子６が３個設けられている。図４の平面図、図５の底面図の円弧溝７にはゲルマニウム粒子６の２個が同位置に設けられている。
【００３０】
ローラー４を顔面上を回転させた際、同一回転円上に相隣る凸面８のゲルマニウム粒子６が位置しないためローラー４と顔面との間に隙間を作らずに、ローラー４が顔面に接触する部分を出来るだけ多くして美顔効果を上げる事ができる。
【００３１】
本実施例では、凸面８に３個のゲルマニウム粒子６を突設し、相隣る凸面８には軸線方向で同位置にならないようにずらして２個のゲルマニウム粒子６が突設してある。
【００３２】
ローラー４の先端には前記ゲルマニウム６より突出が低いゲルマニウム粒子１０が設けてあって、こめかみや眼尻、口元など細かい部分にもトントンと叩くタッピングマッサージができるようにしてある。
【００３３】
ローラー４は、アルミ棒から切り出しメッキを施すようにするとコスト的に安価に提供できる。
【実施例１】
【００３４】
ローラー部１のローラー４の外径は１９ｍｍ、長さ５３ｍｍで、把手部２の把手５は把持しやすいように先端部を先細り状にした円筒体で外径１７ｍｍで、この美顔用マッサージ器の全長は１５１.５ｍｍで、総重量は１０５ｇである。
【産業上の利用可能性】
【００３５】
本発明は、ローラー部と、把手部と、ローラー部と把手部とを連結する連結軸部とよりなる美顔用マッサージ器であって、ローラー部はチタニウム製又は表面を純プラチナ、又は純金メッキを施した円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置し、ローラー先端をチタニウム、アルミ、真鍮などの金属で閉塞し、ローラー表面を純プラチナ、純金、純チタニウムなどの高価金属でメッキした美顔用マッサージ器であるので、ローラーと顔面との間にできるだけ隙間を作らず、顔面に接触する部分が多くなり、より美顔効果が望めるものであるが、顔面だけでなく、手や首すじ等他の皮膚面に用いても生体細胞への刺激と充放電の電位調整による活性効果を得ることができ、ローラー表面を人体の皮膚に金属アレルギー対策に配慮して純プラチナ、純金、純チタニウムなどの高価金属でメッキし、ローラー表面をツルツルピカピカに光沢を帯びさせる。
【符号の説明】
【００３６】
１…ローラー部
２…把手部
３…連結軸部
４…チタニウム製円筒形ローラー
７…円弧溝
８…凸面
９…小穴
６…ゲルマニウム粒子
１０…ゲルマニウム粒子
２１…金属
【図１】
2010178961.tif 000003
【図２】
2010178961.tif 000004
【図３】
2010178961.tif 000005
【図４】
2010178961.tif 000006
【図５】
2010178961.tif 000007
【図６】
2010178961.tif 000008